(57)【要約】　　　（修正有）【課題】人間が身につけた携帯電話からの電磁波を防護するために適した電磁波シールドを提供する。【解決手段】電磁波を遮断することのできる金属体を用いた電磁波シールドであって、本電磁波シールドはその金属体の周囲を紙で被ったものである。具体的には、板厚５００μｍ以下の金属板と、金属板を被う紙製の袋体と、を備える。【選択図】　　図１
0003100432.tif 000002
【実用新案登録請求の範囲】
【請求項１】
　板厚５００μｍ以下の金属板と、該金属板を被う紙製の袋体と、を備える電磁波シールド。
【請求項２】
　板厚５００μｍ以下で孔径１ｍｍ以下の孔開き加工した開口率１０％以上の金属板と、該金属板を被う紙製の袋体と、を備える電磁波シールド。
【請求項３】
　線径３００μｍ以下の金属線から構成される開口率１０％以上の金属メッシュと、該金属メッシュを被う紙製の袋体と、を備える電磁波シールド。
【請求項４】
　板厚５００μｍ以下の金属板と、該金属板を被う和紙製の袋体と、を備える電磁波シールド。
【請求項５】
　板厚５００μｍ以下で孔径１ｍｍ以下の孔開き加工した開口率１０％以上の金属板と、該金属板を被う和紙製の袋体と、を備える電磁波シールド。
【請求項６】
　線径３００μｍ以下の金属線から構成される開口率１０％以上の金属メッシュと、該金属メッシュを被う和紙製の袋体と、を備える電磁波シールド。
【請求項７】
　板厚５００μｍ以下の金属板と、該金属板を被う紙製の袋体と、を備える電磁波シールドであって、該金属板の少なくとも片面に酸化チタンを担持させたことを特徴とする電磁波シールド。
【請求項８】
　板厚５００μｍ以下で孔径１ｍｍ以下の孔開き加工した開口率１０％以上の金属板と、該金属板を被う紙製の袋体と、を備える電磁波シールドであって、該金属板の少なくとも片面に酸化チタンを担持させたことを特徴とする電磁波シールド。
【請求項９】
　線径３００μｍ以下の金属線から構成される開口率１０％以上の金属メッシュと、該金属メッシュを被う紙製の袋体と、を備える電磁波シールドであって、該金属メッシュの少なくとも片面に酸化チタンを担持させたことを特徴とする電磁波シールド。
【請求項１０】
　板厚５００μｍ以下の金属板と、該金属板を被う和紙製の袋体と、を備える電磁波シールドであって、該金属板の少なくとも片面に酸化チタンを担持させたことを特徴とする電磁波シールド。
【請求項１１】
　板厚５００μｍ以下で孔径１ｍｍ以下の孔開き加工した開口率１０％以上の金属板と、該金属板を被う和紙製の袋体と、を備える電磁波シールドであって、該金属板の少なくとも片面に酸化チタンを担持させたことを特徴とする電磁波シールド。
【請求項１２】
　線径３００μｍ以下の金属線から構成される開口率１０％以上の金属メッシュと、該金属メッシュを被う和紙製の袋体と、を備える電磁波シールドであって、該金属メッシュの少なくとも片面に酸化チタンを担持させたことを特徴とする電磁波シールド。
【考案の詳細な説明】
【技術分野】
【０００１】
　本考案は、有害な電磁波から人体を保護するための電磁波シールドであって、特に、電磁波を発生する電子機器と人体との間に装着することによって電磁波から保護することのできる電磁波シールドに関するものである。
【背景技術】
【０００２】
　近時、携帯電話を常時身につけている事が多く、携帯電話からの電磁波が、人体にも悪影響を及ぼす可能性が指摘されている。携帯電話は、通話していない状態であっても最寄りの通信センターとの間で位置情報を送受信しているため、携帯電話を電磁波遮断すると携帯電話としての機能を発揮できなくなる。その一方で、電磁遮断しなければ、携帯電話を身につけている人体の一部は常に電磁波の危険に曝されていることになる。
【０００３】
　このような電磁波の危険性から人体を保護するために、導電性物質を混入した発泡樹脂体（例えば、特許文献１参照。）や、金属繊維よりなる導電性メッシュ（例えば、特許文献２参照。）などが開発されている。
【０００４】
　しかし、これらは電磁波を発生する電子機器の一部に設置するものであって、必ずしも人間が身につけて携帯電話からの電磁波を防護することには適していない。
【特許文献１】特開平５−１１０２８４号公報
【特許文献２】特開平１１−７４７８４号公報
【考案の開示】
【考案が解決しようとする課題】
【０００５】
　本願考案が解決しようとする課題は、人間が身につけた携帯電話からの電磁波を防護するために適した電磁波シールドを提供することを目的とする。
【課題を解決するための手段】
【０００６】
　本願考案は、電磁波を遮断することのできる金属体を用いた電磁波シールドであって、本電磁波シールドはその金属体の周囲を紙で被ったものである。
【０００７】
　具体的には、本願考案は、板厚５００μｍ以下の金属板と、該金属板を被う紙製の袋体と、を備える電磁波シールドである。
【０００８】
　本願他の考案は、板厚５００μｍ以下で孔径１ｍｍ以下の孔開き加工した開口率１０％以上の金属板と、該金属板を被う紙製の袋体と、を備える電磁波シールドである。
【０００９】
　本願他の考案は、線径３００μｍ以下の金属線から構成される開口率１０％以上の金属メッシュと、該金属メッシュを被う紙製の袋体と、を備える電磁波シールドである。
【００１０】
　本願他の考案は、板厚５００μｍ以下の金属板と、該金属板を被う和紙製の袋体と、を備える電磁波シールドである。
【００１１】
　本願他の考案は、板厚５００μｍ以下で孔径１ｍｍ以下の孔開き加工した開口率１０％以上の金属板と、該金属板を被う和紙製の袋体と、を備える電磁波シールドである。
【００１２】
　本願他の考案は、線径３００μｍ以下の金属線から構成される開口率１０％以上の金属メッシュと、該金属メッシュを被う和紙製の袋体と、を備える電磁波シールドである。
【００１３】
　本願他の考案は、板厚５００μｍ以下の金属板と、該金属板を被う紙製の袋体と、を備える電磁波シールドであって、該金属板の少なくとも片面に酸化チタンを担持させたことを特徴とする電磁波シールドである。
【００１４】
　本願他の考案は、板厚５００μｍ以下で孔径１ｍｍ以下の孔開き加工した開口率１０％以上の金属板と、該金属板を被う紙製の袋体と、を備える電磁波シールドであって、該金属板の少なくとも片面に酸化チタンを担持させたことを特徴とする電磁波シールドである。
【００１５】
　本願他の考案は、線径３００μｍ以下の金属線から構成される開口率１０％以上の金属メッシュと、該金属メッシュを被う紙製の袋体と、を備える電磁波シールドであって、該金属メッシュの少なくとも片面に酸化チタンを担持させたことを特徴とする電磁波シールドである。
【００１６】
　本願他の考案は、板厚５００μｍ以下の金属板と、該金属板を被う和紙製の袋体と、を備える電磁波シールドであって、該金属板の少なくとも片面に酸化チタンを担持させたことを特徴とする電磁波シールドである。
【００１７】
　本願他の考案は、板厚５００μｍ以下で孔径１ｍｍ以下の孔開き加工した開口率１０％以上の金属板と、該金属板を被う和紙製の袋体と、を備える電磁波シールドであって、該金属板の少なくとも片面に酸化チタンを担持させたことを特徴とする電磁波シールドである。
【００１８】
　本願他の考案は、線径３００μｍ以下の金属線から構成される開口率１０％以上の金属メッシュと、該金属メッシュを被う和紙製の袋体と、を備える電磁波シールドであって、該金属メッシュの少なくとも片面に酸化チタンを担持させたことを特徴とする電磁波シールドである。
【考案の効果】
【００１９】
　本考案の電磁波シールドは、携帯電話等の電子機器からの有害な電磁波から人体を保護するばかりでなく、携帯電話等の電子機器からの有害な電磁波から人体に装着したペースメーカへの影響を軽減しつつ、通気性を確保することができる。
　また、電子機器間で絶縁を保ちつつ、電磁波による電子機器間の相互干渉を防止することができる。
【考案を実施するための最良の形態】
【００２０】
　以下に図面を参照して本考案の電磁波シールドを実施するための最良の形態を説明する。
図１は本考案の電磁波シールドを実施するための形態を示す透視図、図２は、本考案の電磁波シールドであって、図１におけるＡ−Ａ’線における断面図である。図１及び図２において、１０は電磁波シールド、１１は金属板、１２は袋体である。
【００２１】
　図１、図２に示すように、本考案の電磁波シールド１０は、板厚５００μｍ以下の金属板１１と、金属板１１を被う紙製の袋体１２とを備えている。金属板であれば、本電磁波シールドを携帯電話と人体の間に装着することにより、携帯電話からの電磁波から人体を保護することができる。また、金属板１１の板厚が５００μｍ以下であれば、可撓性があり、人間が身に着けても違和感なく折れ曲がる。例えば、ポケットに入れても人体や携帯電話の形状に沿って折れ曲がることになる。
【００２２】
　金属板１１の材料としては、鉄、銅、ステンレススチール、真鍮、アルミニウム、金、銀等の金属を適用することができる。また、プラスチック等の不導体に金属メッキを施したものでもよい。
【００２３】
　金属板１１は紙製の袋体１２で被われている。袋体で被うことによって、金属板によって人体が傷つけられるのを防止したり、金属アレルギーの肌から隔離したりすることができる。袋体１２を紙製とすることによって、電磁波シールドの通気性も確保することができる。即ち、紙製の袋体１２と金属板１１との間に空間ができ、紙製の袋体１２を通り抜けて出入りする空気が紙製の袋体１２と金属板１１との間の空間を通して金属板１１の反対側に達するため、通気性を確保することができる。服のポケットに入れた場合に通気性があれば、人間が不快感を感じない。紙の材料は、植物性でも合成繊維でも又はこれらの混合でもよい。
【００２４】
　袋体１２が和紙で出来ていれば、一層の通気性を確保できると同時に、破損にも強くなる。特に、身につける場合に袋体が汗で湿っても引っ張り強度を維持することができる。和紙の材料は、植物性でも合成繊維でも又はこれらの混合でもよい。
【００２５】
　金属板１１は少なくとも片面に酸化チタンを担持させることが望ましい。金属板１１に酸化チタンを担持させれば、紙や和紙を通して入射した光により酸化チタンの光触媒作用が働き、消臭効果、殺菌効果、抗菌効果等が得られる。金属板１１の両面に担持させれば、電磁波シールドを表裏の区別なく使用することができる。また、金属板１１を回り込んできた光に対しても光触媒作用を発揮することができる。
【００２６】
　図１、図２における金属板１１に替わる他の金属板の例を図３に示す。図３において、１３は孔開き加工した金属板である。図３に示す金属板１３は板厚が５００μｍ以下が望ましい。金属板１３の板厚が５００μｍ以下であれば、可撓性があり、人間が身に着けても違和感なく折れ曲がる。例えば、ポケットに入れても人体や携帯電話の形状に沿って折れ曲がることになる。金属板１３は孔開き加工した金属板であることが望ましい。通気性を確保することができ、特に、金属板１３の開口率が１０％以上であれば、十分な通気性を確保することができる。金属板１３の孔の孔径は１ｍｍ以下が望ましい。孔径が１ｍｍ以下であれば、本電磁波シールドを携帯電話と人体の間に装着すれば、携帯電話からの電磁波から人体を防護することができる。
【００２７】
　金属板１３の材料としては、鉄、銅、ステンレススチール、真鍮、アルミニウム、金、銀等の金属を適用することができる。また、プラスチック等の不導体に金属メッキを施したものでもよい。
【００２８】
　ここで、金属板の開口率とは、金属板１３の面積に対して、平面視した孔部の占める面積の割合をいう。
【００２９】
　金属板１３は少なくとも片面に酸化チタンを担持させることが望ましい。金属板１３に酸化チタンを担持させれば、紙や和紙を通して入射した光により酸化チタンの光触媒作用が働き、消臭効果、殺菌効果、抗菌効果等が得られる。金属板１３の両面に担持させれば、電磁波シールドを表裏の区別なく使用することができる。また、金属板１３を回り込んできた光や孔を通って入射した光に対しても光触媒作用を発揮することができる。
【００３０】
　図１、図２における金属板１１に替わる他の例を図４に示す。図４は金属線から構成される金属メッシュである。図４に示す金属板メッシュ１４を構成する金属線の線径は３００μｍ以下が望ましい。線径が３００μｍ以下であれば、金属メッシュを構成しても可撓性があり、人間が身に着けても抵抗感なく折れ曲がる。例えば、ポケットに入れても人体や携帯電話の形状に沿って折れ曲がることになる。また、金属メッシュであれば、通気性を確保することができ、特に、金属メッシュ１３の開口率が１０％以上であれば、十分な通気性を確保することができる。
【００３１】
　金属板メッシュを構成する金属線の材料としては、鉄、銅、ステンレススチール、真鍮、アルミニウム、金、銀等の金属を適用することができる。また、プラスチックやビニール等の不導体に金属メッキを施したものでもよい。
【００３２】
　ここで、金属メッシュの開口率とは、金属メッシュ１４の面積に対して、平面視した金属線の間の隙間の占める面積の割合をいう。
【００３３】
　金属メッシュ１４は少なくとも片面に酸化チタンを担持させることが望ましい。金属メッシュ１４に酸化チタンを担持させれば、紙や和紙を通して入射した光により光触媒作用が働き、消臭効果、殺菌効果、抗菌効果等が得られる。金属メッシュ１４の両面に担持させれば、電磁波シールドを表裏の区別なく使用することができる。また、金属メッシュ１４を回り込んできた光や金属メッシュの隙間を通って入射した光に対しても光触媒作用を発揮することができる。
【００３４】
　前述した金属板１１、金属板１３、金属メッシュ１４の形状は、図１、図３、図４に示す方形に限らない。円形、楕円形、多角形、角丸四角形等でもよい。また、金属板１１、金属板１３、金属メッシュ１４の形状と袋体１２の形状とは同じものでもよいし、異なっていてもよい。
【産業上の利用可能性】
【００３５】
　本考案の電磁波シールドは、携帯電話等の電子機器からの有害な電磁波から人体やペースメーカを保護するためや、電子機器間での電磁波妨害を防止するために利用することができる。
【図面の簡単な説明】
【００３６】
【図１】本考案の電磁波シールドを実施するための形態を示す透視図である。
【図２】本考案の電磁波シールドであって、図１におけるＡ−Ａ’線における断面図である。
【図３】電磁波シールドに適用できる他の金属板の例を説明する図である。
【図４】電磁波シールドに適用できる金属メッシュの例を説明する図である。
【符号の説明】
【００３７】
　１０　電磁波シールド
　１１　金属板
　１２　袋体
　１３　孔開き加工した金属板
　１４　金属メッシュ
【図１】
0003100432.tif 000003
【図２】
0003100432.tif 000004
【図３】
0003100432.tif 000005
【図４】
0003100432.tif 000006